(57)【要約】      （修正有）【課題】直接結合及び代替交差結合を伴う誘電体導波管フィルタを提供する。【解決手段】導波管フィルタ１１００は、少なくとも第１及び第２の共振器を画定する誘電材料のベースブロックと、ベースブロックの上面に位置し、少なくとも第３の共振器１１１８を画定するブリッジブロック１１０５と、を備える。ベースブロックは、端から端の関係において、共に結合された第１及び第２のベースブロック１１０１、１１０３からなる。外部伝送線１７００または内部ＲＦ信号伝送ウィンドウ１５６０ａ、１５６０ｂもしくはＲＦ信号伝送ブリッジ１１２８が、第１の共振器１１１４、１１１６と第２の共振器１１２０、１１２２との間の交差結合ＲＦ信号伝送経路を提供する。少なくとも第１及び第２の内部ＲＦ信号伝送ウィンドウが、それぞれ、第１の共振器と第３の共振器との間の、及び第２の共振器と第３の共振器との間の直接ＲＦ信号伝送経路を提供する。【選択図】図２
2019097205.tif 000002
【特許請求の範囲】
【請求項１】
導電性材料の層で覆われており、少なくとも第１及び第２の共振器を画定する誘電材料のベースブロックと、
導電性材料の層で覆われており、第３の共振器を画定する誘電材料のブリッジブロックと、ここで、前記ベースブロックと前記ブリッジブロックとが、前記ブリッジブロックが前記第１及び第２の共振器を橋絡する関係において互いに結合されており、
前記ベースブロックと前記ブリッジブロックとの間に画定されており、前記第１の共振器と前記第３の共振器との間でＲＦ信号を伝送するための第１の経路を画定する第１のＲＦ信号伝送ウィンドウと、
前記ベースブロックと前記ブリッジブロックとの間に画定されており、前記第３の共振器と前記第２の共振器との間でＲＦ信号を伝送するための第２の経路を画定する第２のＲＦ信号伝送ウィンドウと、を備えている、ＲＦ信号の伝送に適した導波管フィルタ。
【請求項２】
前記ベースブロックが長手軸を画定し、前記第１及び第２のＲＦ信号伝送ウィンドウが、互いとかつ前記長手軸と間隔をあけかつ平行な関係において、前記長手軸の両側に位置付けられる、請求項１に記載の導波管フィルタ。
【請求項３】
前記ベースブロックが長手軸を画定し、前記第１及び第２のＲＦ信号伝送ウィンドウが、互いと間隔をあけかつ平行、かつ前記長手軸と垂直な関係において位置付けられる、請求項１に記載の導波管フィルタ。
【請求項４】
前記ベースブロックが長手軸を画定し、前記ベースブロックと前記ブリッジブロックとの間に画定されており、前記第１の共振器と前記第３の共振器との間で前記ＲＦ信号を伝送するための第３の経路を画定する第３のＲＦ信号伝送ウィンドウをさらに備えており、前記第１及び第３のＲＦ信号伝送ウィンドウが、互いとかつ前記長手軸と平行な関係において、かつ前記第２のＲＦ信号伝送ウィンドウと垂直な関係において、前記長手軸の両側に位置付けられる、請求項１に記載の導波管フィルタ。
【請求項５】
前記ベースブロックが、その各々が、導電性材料の層で覆われており、端から端の同一線上の関係において結合された第１及び第２のベースブロックからなり、前記ブリッジブロックが、前記第１及び第２のベースブロックの前記結合した端部を橋絡し、前記第１及び第２の共振器が、それぞれ、前記第１及び第２のベースブロックにおいて画定される、請求項１に記載の導波管フィルタ。
【請求項６】
導電性材料の層で覆われており、少なくとも第１の共振器を画定する誘電材料の第１のブロックと、
導電性材料の層で覆われており、少なくとも第２の共振器を画定する誘電材料の第２のブロックと、
導電性材料の層で覆われており、少なくとも第３の共振器を画定する誘電材料の第３のブロックと、ここで、前記誘電材料の第３のブロックが、前記誘電材料の第１及び第２のブロックに結合してそれらを橋絡し、
前記第１のブロックと前記第３のブロックとの間に画定されており、前記第１の共振器と前記第３の共振器との間でＲＦ信号を伝送するための第１の経路を画定する第１のＲＦ信号伝送ウィンドウと、
前記第２のブロックと前記第３のブロックとの間に画定されており、前記第３の共振器と前記第２の共振器との間でＲＦ信号を伝送するための第２の経路を画定する第２のＲＦ信号伝送ウィンドウと、を備えている、ＲＦ信号の伝送に適した導波管フィルタ。
【請求項７】
前記第１のブロックと前記第２のブロックとが、端から端の同一線上の関係において結合されており、前記第３のブロックが、前記第１及び第２のベースブロックの前記結合した端部を橋絡する、請求項６に記載の導波管フィルタ。
【請求項８】
前記第１及び第２のブロックの各々の一端におけるＲＦ信号入力／出力電極と、
前記第１及び第２のブロックの各々の前記一端に画定された段部と、ここで、前記ＲＦ信号入力／出力電極が前記段部を貫いて延在し、
前記第１及び第２のブロックの各々に画定された切込みと、を備えており、ここで、前記第１のブロックにおける前記切込みが、前記第１のブロックにおける前記第１の共振器と第４の共振器とを画定し、前記第２のブロックにおける前記切込みが、前記第２のブロックにおける前記第２の共振器と第５の共振器とを画定し、前記ＲＦ信号入力／出力電極及び前記段部が、それぞれ、前記第４及び第５の共振器において画定され、前記第３のブロックが、前記第１及び第２のブロックにおいて画定された前記切込みの間に、かつそれらから間隔をあけて位置する、請求項６に記載の導波管フィルタ。
【請求項９】
導電性材料の層で覆われており、少なくとも第１及び第２の共振器を画定する誘電材料のベースブロックと、
導電性材料の層で覆われており、少なくとも第３の共振器を画定する誘電材料のブリッジブロックと、ここで、前記ブリッジブロックが、前記ベースブロックの前記第１及び第２の共振器を橋絡する関係において、前記ベースブロックの上部に積層されており、
前記ベースブロックと前記ブリッジブロックとの間に画定されており、前記第１の共振器と前記第３の共振器との間でＲＦ信号を伝送するための第１の直接経路を画定する第１の内部直接結合ＲＦ信号伝送ウィンドウと、
前記ベースブロックと前記ブリッジブロックとの間に画定されており、前記第２の共振器と前記第３の共振器との間でＲＦ信号を伝送するための第２の直接経路を画定する第２の内部直接ＲＦ信号伝送ウィンドウと、
前記第１の共振器と前記第２の共振器との間でＲＦ信号を伝送するための第１の交差結合経路を画定する第１の交差結合ＲＦ信号伝送手段と、を備えている、ＲＦ信号の伝送に適した導波管フィルタ。
【請求項１０】
前記ベースブロックが、その各々が、導電性材料の層で覆われており、端から端かつ同一線上の関係において結合された第１及び第２のベースブロックからなり、前記第１及び第２の共振器が、それぞれ、前記第１及び第２のベースブロックにおいて画定されており、前記第１の交差結合ＲＦ信号伝送手段が、前記第１の共振器と前記第２の共振器との間を延在する容量性交差結合外部伝送線を備えており、前記第１及び第２の内部直接結合伝送ウィンドウが、第１及び第２の容量性直接結合ＲＦ信号伝送経路を画定する、請求項９に記載の導波管フィルタ。
【請求項１１】
前記ベースブロックが、その各々が、導電性材料の層で覆われており、端から端かつ同一線上の関係において結合された第１及び第２のベースブロックからなり、前記第１及び第２の共振器が、それぞれ、前記第１及び第２のベースブロックにおいて画定されており、前記第１の交差結合ＲＦ信号伝送手段が、前記第１のベースブロックと前記第２のベースブロックとの間に画定されており、前記第１の共振器と前記第２の共振器との間の第１の誘導交差結合ＲＦ信号伝送経路を画定する第３のＲＦ信号伝送ウィンドウを備えており、前記第１及び第２の内部直接結合伝送ウィンドウが、第１及び第２の容量性直接結合ＲＦ信号伝送経路を画定する、請求項９に記載の導波管フィルタ。
【請求項１２】
前記第１の交差結合ＲＦ信号伝送手段が、前記第１の共振器と前記第２の共振器との間において前記ベースブロックに画定されており、前記第１の共振器と前記第２の共振器との間の第１の誘導交差結合ＲＦ信号伝送経路を画定するＲＦ信号伝送ブリッジを備えており、前記第１及び第２の内部直接結合伝送ウィンドウが、第１及び第２の誘導直接結合ＲＦ信号伝送経路を画定する、請求項９に記載の導波管フィルタ。
【請求項１３】
前記ベースブロックと前記ブリッジブロックとの間に画定されており、前記第１の共振器と前記第３の共振器との間でＲＦ信号を伝送するための第３の直接経路を画定する第３の内部直接結合伝送ウィンドウをさらに備えており、前記第１及び第３の内部直接結合伝送ウィンドウが、前記第１の共振器と前記第２の共振器との間の第１及び第３の容量性直接結合ＲＦ信号伝送経路を画定する、請求項９に記載の導波管フィルタ。
【発明の詳細な説明】
【技術分野】
【０００１】
関連出願及び同時係属出願の相互参照
本出願は、２０１３年１１月２５日に出願され、「Ｄｉｅｌｅｃｔｒｉｃ  Ｗａｖｅｇｕｉｄｅ  Ｆｉｌｔｅｒ  ｗｉｔｈ  Ｄｉｒｅｃｔ  ｃｏｕｐｌｉｎｇ  ａｎｄ  Ａｌｔｅｒｎａｔｉｖｅ  Ｃｒｏｓｓ−ｃｏｕｐｌｉｎｇ」と題されたＵ．Ｓ．Ｐａｔｅｎｔ  Ａｐｐｌｉｃａｔｉｏｎ  Ｓｅｒｉａｌ  Ｎｏ．１４／０８８，４７１の一部継続出願であり、その出願日及び開示の利益を主張し、そしてまた、２０１３年９月２３日に出願され、「Ｄｉｅｌｅｃｔｒｉｃ  Ｗａｖｅｇｕｉｄｅ  Ｆｉｌｔｅｒ  ｗｉｔｈ  Ｄｉｒｅｃｔ  ｃｏｕｐｌｉｎｇ  ａｎｄ  Ａｌｔｅｒｎａｔｉｖｅ  Ｃｒｏｓｓ−ｃｏｕｐｌｉｎｇ」と題されたＵ．Ｓ．Ｐｒｏｖｉｓｉｏｎａｌ  Ｐａｔｅｎｔ  Ａｐｐｌｉｃａｔｉｏｎ  Ｓｅｒｉａｌ  Ｎｏ．６１／８８１，１３８の出願日及び開示の利益も主張する。それらの内容全体が、参照並びに本明細書に引用されたすべての参考文献により本明細書に組み込まれる。
【０００２】
本発明は、一般的に誘電体導波管フィルタに関し、より詳細には、直接結合及び代替交差結合を有する誘電体導波管フィルタに関する。
【背景技術】
【０００３】
本発明は、ＨｅｉｎｅらによるＵ．Ｓ．Ｐａｔｅｎｔ  Ｎｏ．５，９２６，０７９に開示されているタイプの誘電体導波管フィルタに関する。これは、複数の共振器がモノブロックの全長に沿って長手方向において間隔をあけて位置し、そして複数のスロット／ノッチが、モノブロックの全長に沿って長手方向において間隔をあけて位置し、複数の共振器間に直接誘導／容量性結合を提供する複数の橋を複数の共振器間に画定する。
【０００４】
ＨｅｉｎｅらによるＵ．Ｓ．Ｐａｔｅｎｔ  Ｎｏ．５，９２６，０７９に開示されているタイプの導波管フィルタの減衰特性は、導波管フィルタの一端または両端に配置された追加の共振器の形態における組み込みのゼロを通じて増加することができる。しかしながら、追加の共振器の組み込みに伴う不利益は、フィルタの全長も増大し、これは一部の用途において、例えば、顧客のマザーボード上の空間制限の故に望ましくないまたは不可能であり得ることである。
【０００５】
また、フィルタの減衰特性は、例えば、ＶａｎｇａｌａらによるＵ．Ｓ．Ｐａｔｅｎｔ  Ｎｏ．７，７１４，６８０に開示されているように、共振器の直接結合及び交差結合の両方によっても増加することができる。これは、フィルタの上面に画定され、共振器の複数の貫通孔のうちの選択された貫通孔間を延在する、それぞれの金属化パターンによって一部分が作り出された共振器の誘導直接結合及び四重交差結合の両方を持つモノブロックフィルタを開示しており、これにより共振器の開示された直接結合及び交差結合を提供する。
【０００６】
ＶａｎｇａｌａらによるＵ．Ｓ．Ｐａｔｅｎｔ  Ｎｏ．７，７１４，６８０に開示されているタイプの、上面の金属化パターンからなる直接結合及び交差結合は、ＨｅｉｎｅらによるＵ．Ｓ．Ｐａｔｅｎｔ  Ｎｏ．５，９２６，０７９に開示されているタイプの、スロットのみを含み、上面の金属化パターンを含まない導波管フィルタには適用できない。
【発明の概要】
【発明が解決しようとする課題】
【０００７】
それ故に、本発明は、導波管フィルタの全長の増大またはフィルタの上面における金属化パターンの使用を伴わずに、導波管フィルタの減衰特性を増加可能な直接及び選択的な交差結合された共振器の両方を持つ誘電体導波管フィルタに関する。
【課題を解決するための手段】
【０００８】
本発明は、導電性材料の層で覆われており、少なくとも第１及び第２の共振器を画定する誘電材料のベースブロックと、導電性材料の層で覆われており、第３の共振器を画定する誘電材料のブリッジブロックと、ここで、ベースブロックとブリッジブロックとは、ブリッジブロックが第１及び第２の共振器を橋絡する関係において互いに結合されており、そしてベースブロックとブリッジブロックとの間に画定されており、第１の共振器と第３の共振器との間でＲＦ信号を伝送するための第１の経路を画定する第１のＲＦ信号伝送ウィンドウと、ベースブロックとブリッジブロックとの間に画定されており、第３の共振器と第２の共振器との間でＲＦ信号を伝送するための第２の経路を画定する第２のＲＦ信号伝送ウィンドウと、を備えている、ＲＦ信号の伝送に適した導波管フィルタに関する。
【０００９】
一実施形態において、ベースブロックが長手軸を画定し、第１及び第２のＲＦ信号伝送ウィンドウが、互いとかつ長手軸と間隔をあけかつ平行な関係において、長手軸の両側に位置付けられる。
【００１０】
一実施形態において、ベースブロックが長手軸を画定し、第１及び第２のＲＦ信号伝送ウィンドウが、互いと間隔をあけかつ平行、かつ長手軸と垂直な関係において位置付けられる。
【００１１】
一実施形態において、ベースブロックが長手軸を画定し、そしてベースブロックとブリッジブロックとの間に画定されており、第１の共振器と第３の共振器との間でＲＦ信号を伝送するための第３の経路を画定する第３のＲＦ信号伝送ウィンドウをさらに備えている。第１及び第３のＲＦ信号伝送ウィンドウが、互いとかつ長手軸と平行な関係において、かつ第２のＲＦ信号伝送ウィンドウと垂直な関係において、長手軸の両側に位置付けられる。
【００１２】
一実施形態において、ベースブロックは、その各々が、導電性材料の層で覆われており、端から端の同一線上の関係において結合された第１及び第２のベースブロックからなる。ブリッジブロックが、第１及び第２のベースブロックの結合した端部を橋絡し、第１及び第２の共振器が、それぞれ、第１及び第２のベースブロックにおいて画定される。
【００１３】
本発明は、また、導電性材料の層で覆われており、少なくとも第１の共振器を画定する誘電材料の第１のブロックと、導電性材料の層で覆われており、少なくとも第２の共振器を画定する誘電材料の第２のブロックと、導電性材料の層で覆われており、少なくとも第３の共振器を画定する誘電材料の第３のブロックと、ここで、誘電材料の第３のブロックは、誘電材料の第１及び第２のブロックに結合してそれらを橋絡し、そして第１のブロックと第３のブロックとの間に画定されており、第１の共振器と第３の共振器との間でＲＦ信号を伝送するための第１の経路を画定する第１のＲＦ信号伝送ウィンドウと、第２のブロックと第３のブロックとの間に画定されており、第３の共振器と第２の共振器との間でＲＦ信号を伝送するための第２の経路を画定する第２のＲＦ信号伝送ウィンドウと、を備えている、ＲＦ信号の伝送に適した導波管フィルタにも関する。
【００１４】
一実施形態において、第１のブロックと第２のブロックとは、端から端の同一線上の関係において結合されており、第３のブロックが、第１及び第２のベースブロックの結合した端部を橋絡する。
【００１５】
一実施形態において、導波管フィルタは、第１及び第２のブロックの各々の一端におけるＲＦ信号入力／出力電極と、第１及び第２のブロックの各々のその一端に画定された段部と、ここで、ＲＦ信号入力／出力電極が段部を貫いて延在し、そして第１及び第２のブロックの各々に画定された切込みと、をさらに備えている。第１のブロックにおける切込みが、第１のブロックにおける第１の共振器と第４の共振器とを画定し、第２のブロックにおける切込みが、第２のブロックにおける第２の共振器と第５の共振器とを画定し、ＲＦ信号入力／出力電極及び段部が、それぞれ、第４及び第５の共振器において画定され、第３のブロックが、第１及び第２のブロックにおいて画定された切込みの間に、かつそれらから間隔をあけて位置する。
【００１６】
本発明は、さらに、導電性材料の層で覆われており、少なくとも第１及び第２の共振器を画定する誘電材料のベースブロックと、導電性材料の層で覆われており、少なくとも第３の共振器を画定する誘電材料のブリッジブロックと、ここで、ブリッジブロックが、ベースブロックの第１及び第２の共振器を橋絡する関係において、ベースブロックの上部に積層されており、そしてベースブロックとブリッジブロックとの間に画定されており、第１の共振器と第３の共振器との間でＲＦ信号を伝送するための第１の直接経路を画定する第１の内部直接結合ＲＦ信号伝送ウィンドウと、ベースブロックとブリッジブロックとの間に画定されており、第２の共振器と第３の共振器との間でＲＦ信号を伝送するための第２の直接経路を画定する第２の内部直接ＲＦ信号伝送ウィンドウと、第１の共振器と第２の共振器との間でＲＦ信号を伝送するための第１の交差結合経路を画定する第１の交差結合ＲＦ信号伝送手段と、を備えている、ＲＦ信号の伝送に適した導波管フィルタに関する。
【００１７】
一実施形態において、ベースブロックは、その各々が、導電性材料の層で覆われており、端から端かつ同一線上の関係において結合された第１及び第２のベースブロックからなる。第１及び第２の共振器が、それぞれ、第１及び第２のベースブロックにおいて画定される。第１の交差結合ＲＦ信号伝送手段が、第１の共振器と第２の共振器との間を延在する容量性交差結合外部伝送線を備えており、第１及び第２の内部直接結合伝送ウィンドウが、第１及び第２の容量性直接結合ＲＦ信号伝送経路を画定する。
【００１８】
一実施形態において、ベースブロックは、その各々が、導電性材料の層で覆われており、端から端かつ同一線上の関係において結合された第１及び第２のベースブロックからなる。第１及び第２の共振器が、それぞれ、第１及び第２のベースブロックにおいて画定される。第１の交差結合ＲＦ信号伝送手段が、第１のベースブロックと第２のベースブロックとの間に画定されており、第１の共振器と第２の共振器との間の第１の誘導交差結合ＲＦ信号伝送経路を画定する第３のＲＦ信号伝送ウィンドウを備えており、第１及び第２の内部直接結合伝送ウィンドウが、第１及び第２の容量性直接結合ＲＦ信号伝送経路を画定する。
【００１９】
一実施形態において、第１の交差結合ＲＦ信号伝送手段が、第１の共振器と第２の共振器との間においてベースブロックに画定されており、第１の共振器と第２の共振器との間の第１の誘導交差結合ＲＦ信号伝送経路を画定するＲＦ信号伝送ブリッジを備えており、第１及び第２の内部直接結合伝送ウィンドウが、第１及び第２の誘導直接結合ＲＦ信号伝送経路を画定する。
【００２０】
一実施形態において、導波管フィルタは、ベースブロックとブリッジブロックとの間に画定されており、第１の共振器と第３の共振器との間でＲＦ信号を伝送するための第３の直接経路を画定する第３の内部直接結合伝送ウィンドウをさらに備えている。第１及び第３の内部直接結合伝送ウィンドウが、第１の共振器と第２の共振器との間の第１及び第３の容量性直接結合ＲＦ信号伝送経路を画定する。
【００２１】
本発明の他の利点及び特徴は、本発明の好ましい実施形態の以下の詳細な説明、添付図面及び添付の特許請求の範囲からより容易に明らかになる。
【００２２】
本発明のこれらの特徴及び他の特徴は、添付図面の以下の説明によって最もよく理解することができる。
【図面の簡単な説明】
【００２３】
【図１】本発明による誘電体導波管フィルタの拡大上面斜視図である。
【図２】図１に示す誘電体導波管フィルタの拡大底面斜視図である。
【図３】本発明による誘電体導波管フィルタの別の実施形態の拡大上面斜視図である。
【図４】図３に示す誘電体導波管フィルタの拡大底面斜視図である。
【図５】本発明による誘電体導波管フィルタのさらなる実施形態の拡大上面斜視図である。
【図６】図５に示す誘電体導波管フィルタの拡大底面斜視図である。
【図７】本発明による誘電体導波管フィルタのなおもさらなる実施形態の拡大上面斜視図である。
【図８】本発明による誘電体導波管フィルタの拡大底面斜視図である。
【図９】図１及び図５に示す誘電体導波管フィルタの性能を描写するグラフである。
【図１０】図２及び図７に示す誘電体導波管フィルタの性能を描写するグラフである。
【発明を実施するための形態】
【００２４】
図１及び図２は、本発明による、直接及び代替交差結合／間接結合要素の両方を組み込む５つの極を持つ導波管フィルタ１１００の実施形態を描写する。
【００２５】
示す実施形態において、導波管フィルタ１１００は、誘電材料の３つの別個のモノブロックまたはブロック１１０１、１１０３及び１１０５（すなわち、２つのベースブロック１１０１及び１１０３と１つのブリッジブロック１１０５）から作られている。これらは、より詳細は後述するように、ベースブロック１１０１及び１１０３が端から端の関係において位置付けられており、ブロック１１０５が、ベースブロック１１０１及び１１０３の上方に位置し、その端部とベースブロック１１０１及び１１０３の端部共振器とを橋絡して相互接続する関係において、共に結合される及び積層されている。
【００２６】
モノブロック１１０１は、示す実施形態において、概ね平行六面体形状であり、例えばセラミックなどの適切な誘電材料の固体伸長ブロックからなり、対向する長手方向の水平面または外側面１１０２ａ及び１１０４ａ、対向する長手方向の側面垂直面または外側面１１０６ａ及び１１０８ａ、並びに対向する横方向側面の垂直端面または外端面もしくは端部１１１０ａ及び１１１２ａを含む。
【００２７】
モノブロック１１０３は、示す実施形態において、これもまた概ね平行六面体形状であり、これもまた例えばセラミックなどの適切な誘電材料の固体伸長ブロックからなり、対向する長手方向の水平面または外側面１１０２ｂ及び１１０４ｂ、対向する長手方向の側面垂直面または外側面１１０６ｂ及び１１０８ｂ、並びに対向する横方向側面の垂直面または外端面もしくは端部１１１０ｂ及び１１１２ｂを含む。
【００２８】
示す実施形態において、モノブロック１１０１及び１１０３の各々は、長さ、幅及び高さが同じあり、（空洞、セル、共振器または極とも呼ばれる）共振部１１１４、１１１６、１１２０及び１１２２の組を含む。これらはそれぞれ、それぞれのモノブロック１１０１及び１１０３の全長に沿って長手方向に間隔をあけ、かつ共に水平かつ同一平面上に位置している。モノブロック１１０１における共振器１１１４及び１１１６は、垂直外面１１０６ａに切り込まれた、より詳細には、モノブロック１１０１の面１１０２ａ、１１０４ａ及び１１０６ａに切り込まれた垂直切込みまたはスロット１１２４ａによって互いに隙間をあけている。モノブロック１１０３における共振器１１２０及び１１２２は、垂直外面１１０６ｂに切り込まれた、より詳細には、モノブロック１１０３の面１１０２ｂ、１１０４ｂ及び１１０６ｂに切り込まれた、モノブロック１１０３における垂直切込みまたはスロット１１２４ｂによって互いに隙間をあけている。
【００２９】
モノブロック１１０１における切込み１１２４ａは、共振器１１１４と共振器１１１６との間の直接結合及びＲＦ信号の伝送のための、モノブロック１１０１における誘電材料のスルーウェイ、通路または橋１１２８を画定する。同様に、モノブロック１１０３における切込み１１２４ｂは、共振器１１２０と共振器１１２２との間の直接結合及びＲＦ信号の伝送のための、モノブロック１１０３における誘電材料のスルーウェイ、通路または橋１１３４を画定する。
【００３０】
モノブロック１１０１は、さらに、示す実施形態において、モノブロック１１０の長手方向の面１１０４ａ、対向する側面１１０６ａ及び１１０８ａ、並びに端表面または端面１１１２ａの概ねＬ字形状の窪んだ、溝の付いた、肩が付いたまたは刻み目のある領域または部分からなる端段部１１３６ａを備え、画定する。
【００３１】
同様に、モノブロック１１０３は、さらに、示す実施形態において、モノブロック１１０３の長手方向の面１１０４ｂ、対向する側面１１０６ｂ及び１１０８ｂ、並びに端表面または端面１１１２ｂの概ねＬ字形状の窪んだ、溝の付いた、肩が付いたまたは刻み目のある領域または部分からなる端段部１１３６ｂを備え、画定する。
【００３２】
それ故に、示す実施形態において、それぞれの段部１１３６ａ及び１１３６ｂは、それぞれのモノブロック１１０１及び１１０３の残余部よりも低い、それぞれのモノブロック１１０１及び１１０３のそれぞれの端部または領域１１１２ａ及び１１１２ｂにおいてかつそれらによって画定される。
【００３３】
示す実施形態において、それぞれの段部１１３６ａ及び１１３６ｂは、各々、それぞれのモノブロック１１０１及び１１０３において画定されたそれぞれの端部共振器１１１４及び１１２２の概ねＬ字形状の窪んだまたは刻み目のある部分を備える。これらは、それぞれのモノブロック１１０１及び１１０３の面１１０４ａ及び１１０４ｂの内側に位置するまたは方向付けられ、それらから間隔をあけ、かつそれらと平行なそれぞれの第１の概ね水平な面１１４０ａ及び１１４０ｂ、並びにそれぞれのモノブロック１１０１及び１１０３のそれぞれの端面１１１２ａ及び１１１２ｂの内側に位置するまたは方向付けられ、それらから間隔をあけ、かつそれらと平行なそれぞれの第２の概ね垂直な面または壁１１４２ａ及び１１４２ｂを含む。
【００３４】
さらに、本明細書にはいかなる詳細も示さないまたは記述しないが、それぞれのモノブロック１１０１及び１１０３の残余部よりも高い、モノブロック１１０１及び１１０３の外側にそれぞれが延在する端部または領域によっても端段部１１３６ａ及び１１３６ｂを画定できることが理解される。
【００３５】
モノブロック１１０１及び１１０３は、さらに、各々が、それぞれのモノブロック１１０１及び１１０３の本体を貫通する、より詳細には、そのそれぞれの段部１１３６ａ及び１１３６ｂを貫通する、なおもより詳細には、それぞれの段部１１３６ａ及び１１３６ｂのそれぞれの面１１４０ａ及び１１４０ｂと、それぞれのモノブロック１１０１及び１１０３のそれぞれの面１１０２ａ及び１１０２ｂとの間を、概ね垂直な関係において、それぞれのモノブロック１１０１及び１１０３において画定されたそれぞれの端部共振器１１１４及び１１２２の本体を通る、それぞれの貫通孔１１４６ａ及び１１４６ｂの形態の電気ＲＦ信号入力／出力電極を備えている。
【００３６】
なおもより詳細には、それぞれの入力／出力貫通孔１１４６ａ及び１１４６ｂは、それぞれのモノブロック１１０１及び１１０３のそれぞれの横側端面１１１２ａ及び１１１２ｂから間隔をあけ、かつそれらと平行であり、そしてそれぞれ、それぞれの段面１１４０ａ及び１１４０ｂ並びにそれぞれのモノブロック面１１０２ａ及び１１０２ｂにおいて位置し、そこを終端とするそれぞれの概ね円形の開口を画定する。
【００３７】
それぞれのＲＦ信号入力／出力貫通孔１１４６ａ及び１１４６ｂは、また、それぞれの段壁または面１１４２ａ及び１１４２ｂから大まかに間隔をあけ、かつそれらと平行な関係において、それぞれのモノブロック１１０１及び１１０３の内側に位置付け及び配置され、それを貫通もする。
【００３８】
それ故に、示す実施形態において、貫通孔１１４６ａは、ブロック１１０１の端面１１１２ａと段面１１４２ａとの間に位置し、貫通孔１１４６ｂは、ブロック１１０３の端面１１１２ｂと段面１１４２ｂとの間に位置する。さらに、示す実施形態において、段部１１３６ａ及び１１３６ｂは、それぞれのブロック１１０１及び１１０３のそれぞれの切込み１１２４ａ及び１１２４ｂから短く間隔をあけた点を終端とする。
【００３９】
モノブロック１１０１の外面１１０２ａ、１１０４ａ、１１０６ａ、１１０８ａ、１１１０ａ及び１１１２ａのすべて、切込み１１２４ａを画定するモノブロック１１０１の内面、並びにＲＦ信号入力／出力貫通孔１１４６ａを画定するモノブロック１１０１の内面は、より詳細を後述する領域を除いて、例えば銀などの適切な導電性材料で覆われている。
【００４０】
同様に、モノブロック１１０３の外面１１０２ｂ、１１０４ｂ、１１０６ｂ、１１１０ｂ及び１１１２ｂのすべて、切込み１１２４ｂを画定するモノブロック１１０３の内面、並びにＲＦ信号入力／出力貫通孔１１４６ｂを画定するモノブロック１１０３の内面は、より詳細を後述する領域を除いて、例えば銀などの適切な導電性材料で覆われている。
【００４１】
モノブロック１１０１及び１１０３は、さらに、それぞれの貫通孔１１４６ａ及び１１４６ｂによってそれぞれの面１１０２ａ及び１１０２ｂにおいて画定されたそれぞれの開口から外側に突出するそれぞれのＲＦ信号入力／出力コネクタ１４００ａ及び１４００ｂを備えている。
【００４２】
モノブロックまたはブリッジブロック１１０５は、示す実施形態において、概ね矩形形状でもあり、ベースブロック１１０１及び１１０３と幅及び高さは同じであるが、その全長は、ブロック１１０１及び１１０３の各々の全長の半分未満である。そしてこれは、例えばセラミックなどの誘電材料の適切な固体ブロックからなり、対向する長手方向の水平面または外側面１１０２ｃ及び１１０４ｃ、対向する長手方向の側面垂直面または外側面１１０６ｃ及び１１０８ｃ、並びに対向する横方向側面の垂直端面または外端面１１１０ｃ及び１１１２ｃを含む。
【００４３】
モノブロック１１０５は、（空洞、セル、共振器または極とも呼ばれる）共振部１１１８を画定する。
【００４４】
別個のモノブロック１１０１及び１１０３は、互いに対向して位置付けられたそのそれぞれの端面または端部１１１０ａ及び１１１０ｂが、端から端の水平に同一線上かつ同一平面上の関係において、示す実施形態では、それぞれの端面または端部１１１０ａ及び１１１０ｂが互いに隣接して結合または接合した関係において、互いに対して位置する。モノブロック１１０１及び１１０３のそれぞれの水平かつ長手方向の底部外面１１０２ａと底部外面１１０２ｂとが、水平かつ同一平面上の関係において位置する。それぞれのモノブロック１１０１及び１１０３のそれぞれの水平かつ長手方向の上部外面１１０４ａと上部外面１１０４ｂとが、水平かつ同一平面上の関係において位置する。それぞれのモノブロック１１０１及び１１０３のそれぞれの垂直かつ長手方向の側面外面１１０６ａと側面外面１１０６ｂとが、垂直かつ同一平面上の関係において位置する。そして、それぞれのモノブロック１１０１及び１１０３のそれぞれの垂直かつ長手方向の側面外面１１０８ａと側面外面１１０８ｂとが、垂直かつ同一平面上の関係において位置する。
【００４５】
モノブロック１１０５は、ベースブロック１１０１及び１１０５に対して橋絡、重なり合い、位置ずれ、盛り上げまたは積層の関係において、ブロック１１０１及び１１０３に対して位置付けられる。ブロック１１０５の対向する端部は、それぞれのブロック１１０１及び１１０３の端部または面１１１０ａ及び１１１０ｂを橋絡するまたはまたぎ、より詳細には、示す実施形態の関係では、ブロック１１０５の端部がブロック１１０１及び１１０３の結合した端部をまたぎ、ブロック１１０５の一端が、ブロック１１０３の端部共振器１１２０の一部に重なり合ってそこに位置し、ブロック１１０５の反対端が、ブロック１１０１の端部共振器１１１６の一部に重なり合ってそこに位置する。それ故に、示す実施形態において、ブロック１１０５の底部外面１１０２ｃは、それぞれのモノブロック１１０１及び１１０３のそれぞれの上面１１０４ａ及び１１０４ｂのそれぞれの結合した端部に接触して位置する。
【００４６】
それ故に、示す実施形態において、ブロック１１０１及び１１０３は、共に結合したときに長手軸Ｌを画定する、誘電材料の伸長平行六面体形状のベースブロック１５００を画定するベースブロックからなる。そしてこれは、（それぞれのブロック１１０１及び１１０３の外側面１１０２ａ及び１１０２ｂによって画定された）対向する、間隔をあけ、かつ平行かつ水平の上部及び底部外側面１１０２と、（それぞれのモノブロック１１０１及び１１０３の外側面１１０４ａ及び１１０４ｂによって画定され）、長手軸Ｌの方向に延在する１１０４と、（それぞれのブロック１１０１及び１１０３の外側面１１０６ａ及び１１０６ｂによって画定された）対向する、間隔をあけ、かつ平行かつ垂直の側面外面１１０６と、（外側面１１０８ａ及び１１０８ｂによって画定され）、長手軸Ｌの方向に延在する１１０８と、長手軸Ｌと垂直かつそれを横切る方向に延在する（それぞれのブロック１１０１及び１１０３の外端面１１１２ａ及び１１１２ｂによって画定された）対向する横方向垂直の側端面１１１２ａ及び１１１２ｂと、（それぞれのブロック１１０１及び１１０３の端段部１１３６ａ及び１１３６ｂによって画定された）対向する端段部１１３６ａ及び１１３６ｂと、（それぞれのブロック１１０１及び１１０３の切込みまたはスロット１１２４ａ及び１１２４ｂによって画定され）、互いに対して間隔をあけ、かつ平行な関係において、長手軸Ｌと垂直な方向及び向きにおいて、ベースブロック１５００の全長に沿って延在する切込みまたはスロット１１２４ａ及び１１２４ｂであって、切込み１１２４ａが端面１１１２ａに隣接し、かつそれと間隔をあけて位置付けられ、切込み１１２４ｂが反対側の端面１１１２ｂに隣接し、かつそれと間隔をあけて位置付けられたスロット１１２４ａ及び１１２４ｂと、（それぞれのブロック１１０１及び１１０３のそれぞれの外側面１１１０ａ及び１１１０ｂを覆う導電性材料の層によって画定され）、ベースブロック１５００の長手軸Ｌと垂直な方向に延在する、中央に位置付けられた導電性材料の内部層１５２０と、を含む。
【００４７】
ベースブロック１５００の誘電材料、切込みまたはスロット１１２４ａ及び１１２４ｂ、並びに導電性材料の中央内部層１５２０の組み合わせが、長手軸Ｌの方向に概ね同一線上に延在する、ベースブロック１５００における複数の共振器１１１４、１１１６、１１２０及び１１２２を画定する。共振器１１１４及び１１１６は、それらの間の誘電材料１１２８の橋によって結合され、共振器１１２０及び１１２２は、それらの間の誘電材料１１３４の橋によって結合される。橋１１２８及び１１３４は、長手軸Ｌと垂直な方向に延在する。導電性材料の内部層１５２０は、ベースブロック１１０１の共振器１１１４及び１１１６を、ベースブロック１１０３の共振器１１２０及び１１２２から分離し、それぞれの共振器１１１４、１１１６、１１２０、１１２２の間並びにそれぞれの切込みまたはスロット１１２４ａとスロット１１２４ｂとの間に、それらと平行な関係において位置付けられる。
【００４８】
示す実施形態において、ブリッジまたは橋かけブロック１１０５は、ブリッジブロック１１０５がベースブロック１１０３の共振器１１１６とベースブロック１１０１の共振器とを橋絡及び相互接続する関係において、ベースブロック１５００の中央に位置付けられる。具体的には、示す実施形態において、ブリッジブロック１１０５は、橋かけまたは重ね合わせの関係において、導電性材料の内部層１５２０を含むベースブロック１５００の部分にわたって中央に位置付けられる。この関係では、ブロック１１０５の最初の半分が、導電性材料の内部層１５２０の一方の側に位置付けられ、かつベースブロック１１０１の外面１１０４ａに接触して位置し、ベースブロック１１０５の他の半分が、導電性材料の内部層１５２０の他方の側に位置付けられ、ベースブロック１１０３の外面１１０４ｂに接触して位置する。
【００４９】
さらに、示す実施形態において、ブリッジブロック１１０５の垂直外面１１０６ｃは、ベースブロック１５００の垂直外面１１０６と垂直方向に同一平面上にあり（すなわち、それぞれのベースブロック１１０１及び１１０３の垂直外面１１０６ａ及び１１０６ｂと垂直方向に同一平面上にある）、プラットフォームブロック１１０５の反対側の垂直外面１１０８ｃは、ベースブロック１５００の垂直外面１１０８と垂直方向に同一平面上にある（すなわち、それぞれのベースブロック１１０１及び１１０３の垂直外面１１０８ａ及び１１０８ｂと垂直方向に同一平面上にある）。
【００５０】
さらに、示す実施形態において、ブリッジブロック１１０５は、ベースブロック１５００において画定されたそれぞれの切込み１１２４ａ及び１１２４ｂの間に、かつそれらと間隔をあけて、ベースブロック１５００の上面１１０４の中央に位置付けられ、それと接触して位置する。
【００５１】
さらに、示す実施形態において、外部伝送線１７００が、上面１１０４におけるブリッジブロック１１０５と反対側の関係及び位置において、ベースブロック１５００の底面１１０２に位置する（すなわち、それぞれの接合されたベースブロック１１０１及び１１０３のそれぞれの底面１１０２ａと底面１１０２ｂとの間に位置して延在する）。
【００５２】
示す実施形態において、導波管フィルタ１１００は、ベースブロック１５００とブリッジブロック１１０５との間に位置付けられた導電性材料の別の内部層１５６０、より詳細には、ベースブロック１５００を構成する誘電材料を、ブリッジブロック１１０５を構成する誘電材料から分離する導電性材料の内部層１５６０、なおもより詳細には、それぞれのベースブロック１１０１及び１１０３のそれぞれの共振器１１１６及び１１２０を、ブリッジブロック１１０５の共振器１１１８から分離する導電性材料の内部層１５６０を含む。
【００５３】
それ故に、示す実施形態において、ベースブロック１１０１及び１１０３と相対的な、ブリッジブロック１１０５の位置ずれした、盛り上げられた及び重ね合わせられた位置及び関係の故に、ブリッジブロック１１０５並びにブリッジブロック１１０５によって画定された共振器１１１８及び極は、ベースブロック１１０１及び１１０３、共振器１１１４、１１１６、１１１８及び１１２０、並びにその極が位置する水平面と位置ずれしかつその水平面と平行に位置付けられる。
【００５４】
導波管フィルタ１１００の共振器１１１４、１１１６、１１１８、１１２０及び１１２２の間に、直接容量性結合及び間接容量性交差結合を提供するための要素をここで記述する。
【００５５】
初めに、導波管フィルタ１１００は、ベースブロック１１０１の共振器１１１６とブリッジブロック１１０５の共振器１１１８との間を結合するまたは伝送される直接容量性ＲＦ信号を提供するための第１の手段と、ブリッジブロック１１０５の共振器１１１８とベースブロック１１０３の共振器１１２０との間を結合するまたは伝送される直接容量性ＲＦ信号を提供するための第２の手段と、を備えている。これらの手段は、導波管フィルタ１１００の内部におけるそれぞれの内部ウィンドウ１５６０ａ及び１５６０ｂ、より詳細には、ベースブロック１５００の間（接合されたモノブロック１１０１とモノブロック１１０３との間）に位置付けられた導電性材料の内部層１５６０におけるそれぞれの領域１５６０ａ及び１５６０ｂと、導電性材料のない、すなわち、ベースブロック１５００の誘電材料（接合されたモノブロック１１０１及び１１０３の誘電材料）がブリッジブロック１１０５の誘電材料と接触している誘電材料の領域であるブリッジブロック１１０５と、を備えている。ウィンドウ１５６０ａ及び１５６０ｂは、導電性材料の内部層１５２０の両側に位置付けられている。
【００５６】
示す実施形態において、内部にあるまたは内部ウィンドウ１５６０ａ及び１５６０ｂは、ブリッジブロック１１０５によって画定された共振器１１１８を通じるＲＦ信号の経路長を最大化するように、ブリッジブロック１１０５の対角部において導波管フィルタ１１００の内側に位置付けられている。示す実施形態において、内部ウィンドウ１５６０ａ及び１５６０ｂは、共に概ね矩形形状であり、サイズ及び面積が等しく、互いに同じ方向に延在し、そして長手軸Ｌと平行かつそれと間隔をあけて同じ方向に延在する。
【００５７】
さらにまた、導電性材料のない、ブロック１１０１、１１０３及び１１０５がそれぞれの内部ウィンドウ１５６０ａ及び１５６０ｂを画定するように共に結合したときにそれぞれが互いに位置合わせされたそれぞれのブロック１１０１、１１０３及び１１０５のそれぞれの外面１１０４ａ、１１０４ｂ及び１１０２ｃを覆う導電性材料の外層におけるそれぞれの領域によってそれぞれの内部ウィンドウ１５６０ａ及び１５６０ｂが画定されることが理解される。
【００５８】
導波管フィルタ１１００は、さらに、ベースブロック１１０１の共振器１１１６とベースブロック１１０３の共振器１１２０との間のＲＦ信号の間接かつ代替容量性交差結合または伝送を提供するための、外部ＲＦ信号伝送ストリップ線路１７００の形態における手段を備える。このストリップ線路１７００は、導電性材料の内部層１５２０の一方の側に位置付けられた、ベースブロック１５００の外面１１０２の一部に接触して位置する（すなわち、モノブロック１１０１の外面１１０２ａに接触する）一方の端部１７００ａと、導電性材料の内部層１５２０の他方の側に位置付けられた、ベースブロック１５００の外面１１０２の一部に接触して位置する（すなわち、モノブロック１１０１の外面１１０２ｂに接触する）他方の端部１７００ｂと、を含む。示さないが、伝送線１７００の各端部が、伝送線１７００のそれぞれの端部の下方に位置付けられた容量性パッド、及び金属化ビアホールを含むことが理解される。
【００５９】
本発明によれば、ＲＦ信号は、ここでより詳細に記述するように、導波管フィルタ１１００を通り伝送される。初めに、コネクタ１４００ａがＲＦ信号入力コネクタである場合には、ＲＦ信号は、最初に段部１１３６ａに、そしてベースブロック１５００の共振器１１１４（ベースブロック１１０１の段部１１３６ａ及び共振器１１１４）を通じて伝送され、次に、共振器１１１４と共振器１１１６との間においてベースブロック１５００（ベースブロック１１０１）に画定された誘電材料の直接結合ＲＦ信号伝送ブリッジ１１２８を通じて直接結合経路ｄ１を経由して、ベースブロック１５００における共振器１１１６（モノブロック１１０１における共振器１１１６）に伝送され、次に、図２の矢印ｃによって大まかに示され、外部伝送線１７００によって画定された両方向の容量性交差結合経路、並びに図２の矢印ｄ２及びｄ３によって大まかに示され、ウィンドウ１５６０ａ及び１５６０ｂ並びにブリッジブロック１１０５によって画定された直接容量性結合経路を経由して、ベースブロック１５００における共振器１１１６から共振器１１２０（ベースブロック１１０１における共振器１１１６からベースブロック１１０３における共振器１１２０）に伝送され、次に、２つの共振器１１２０及び１１２２の間に画定された誘電材料の橋によって提供された直接結合経路ｄ４を経由して、共振器１１２０から共振器１１２２、そしてベースブロック１５００における段部１１３６ｂ（ベースブロック１１０１における共振器１１２２及び段部１１３６ｂ）に伝送され、その後、出力コネクタ１４００ｂを通って出る。
【００６０】
それ故に、示す実施形態において、ＲＦ信号伝送並びに結合経路ｄ２及びｄ３は、結合経路ｄ１、ｃ及びｄ４と概ね垂直な方向に方向付けられ、延在する。
【００６１】
導波管フィルタ１１００の性能を図９に示す。この図は、導波管フィルタ１１００の直接結合要素と間接容量性交差結合要素との間の相互作用の結果として通過帯域の下側に作り出されたノッチを示す。示す実施形態では、ＲＦ信号が、導波管フィルタ１１００の共振器１１１４、１１１６、１１１８、１１２０及び１１２２を通じて（すなわち、ベースブロック１１０１の共振器１１１４及び１１１６、ブリッジブロック１１０５の共振器１１１８、並びにベースブロック１１０３の共振器１１２０及び１１２２を通じて）直接に伝送され、導波管フィルタ１１００の共振器１１１６と共振器１１２０との間（すなわち、ベースブロック１１０３の共振器１１２０と共振器１１２２との間）を伝送された代替ＲＦ信号が、通過帯域の下側の所定の周波数において互いに相殺され、フィルタ除去を改善するノッチを作り出す。
【００６２】
図３及び図４は、本発明による導波管フィルタ２１００の別の実施形態を描写する。その要素の大部分の構造及び機能は、後述するものを除いて、導波管フィルタ１１００の要素のそれらと同一である。その結果、構造及び機能が同一である導波管フィルタ１１００及び２１００の要素は、図１、図２、図３及び図４において同じ数字で特定されており、それ故に、図１及び図２に示す導波管フィルタ１１００に関するそのような要素の構造及び機能の前の記述が、より詳細を後述するものを除いて、図３及び図４に示す導波管フィルタ２１００に関して参照により本明細書に組み込まれる。
【００６３】
具体的には、導波管フィルタ２１００は、以下の点で導波管フィルタ１１００と異なる。すなわち、ベースブロック１５００において画定された切込み１１２４ａ及び１１２４ｂ（すなわち、ベースブロック１１０１において画定された切込み１１２４ａ、及びベースブロック１１０３において画定された切込み１１２４ｂ）が、導波管１１００の切込み１１２４ａ及び１１２４ｂのように同じ側面１１０６にはなく、ベースブロック１５００の対向する側面１１０６及び１１０８（すなわち、それぞれのベースブロック１１０１及び１１０３の対向する側面１１０６ａ及び１１０８ａ）に位置付けられる。
【００６４】
さらに、導波管フィルタ２１００には外部伝送線１７００が存在しない。代わりに、図４の矢印ｃに大まかに示すような内部の誘導かつ代替交差結合ＲＦ信号伝送線または経路が、導電性材料のない、すなわち、モノブロック１１０１の誘電材料がモノブロック１１０３の誘電材料と接触する所の誘電材料のウィンドウまたは領域である、ベースブロック１５００の導電性材料の内部層１５２０（そのそれぞれの共振器１１１６及び１１２０を分離する、ベースブロック１１０１及び１１０３間の導電性材料の層１５２０）における内部ウィンドウまたは領域１５２０ａによって画定される。
【００６５】
別の言い方をすれば、導電性材料のない、前述のようにブロック１１０１及び１１０３が端から端において共に結合したときにそれぞれが互いに位置合わせされたそれぞれのブロック１１０１及び１１０３のそれぞれの外面１１１０ａ及び１１１０ｂを覆う導電性材料の外層におけるそれぞれの領域によって内部ウィンドウ１５２０ａが画定されることが理解される。
【００６６】
それ故に、導波管フィルタ２１００を通るＲＦ信号の伝送の経路は、導波管フィルタ１１００を通るＲＦ信号の伝送の経路と同一であり、それ故に、以下を除いてその前の記述が参照により本明細書に組み込まれる。すなわち、ベースブロック１１０１の共振器１１１６とベースブロック１１０３の共振器１１２０との間のＲＦ信号の伝送が、導波管フィルタ１１００について前述した直接容量性結合手段（すなわち、内部ウィンドウ１５６０ａ及び１５６０ｂ）の経由に加えて、導波管フィルタ１１００などに見られる外部伝送線１７００を通じた間接容量性交差結合ではなく、間接誘導交差結合の経由（ベースブロック１１０１及び１１０３を分離する、導電性材料の内部層１５２０において画定された内部ウィンドウ２５２０ａの経由）においても起こる。
【００６７】
導波管フィルタ２１００の性能を図１０に示す。この図は、導波管フィルタ２１００の直接結合特徴と間接誘導交差結合特徴との間の相互作用の結果として通過帯域の上側に作り出されたノッチ及びＲＦ信号伝送のシャントゼロを示す。示す実施形態では、ＲＦ信号が、導波管フィルタ２１００の共振器１１１４、１１１６、１１１８、１１２０及び１１２２を通じて（すなわち、ベースブロック１１０１の共振器１１１４及び１１１６、ブリッジブロック１１０５の共振器１１１８、並びにベースブロック１１０３の共振器１１２０及び１１２２を通じて）直接に伝送され、導波管フィルタ２１００の共振器１１１６と共振器１１２０との間（すなわち、ベースブロック１１０１の共振器１１１６とベースブロック１１０３の共振器１１２０との間）を伝送された代替ＲＦ信号が、通過帯域の上側の所定の周波数において互いに相殺され、フィルタ除去を改善するノッチを作り出す。
【００６８】
図５及び図６は、本発明による５つの極を持つ導波管フィルタ３１００のなおもさらなる実施形態を示す。
【００６９】
示す実施形態において、導波管フィルタ３１００は、より詳細は後述するように、導波管フィルタ３１００を形成するように共に結合された及び積層された２つの別個のモノブロックまたはブロック３１０１及び３１０５（すなわち、ベースブロック３１０１及びブリッジブロック３１０５）から作られる。
【００７０】
モノブロックまたはベースブロック３１０１は、示す実施形態において、概ね平行六面体形状であり、例えばセラミックなどの誘電材料の適切な固体ブロックからなり、長手軸Ｌの方向に延在する対向する長手方向の水平外面３１０２及び３１０４、長手軸Ｌの方向に延在する対向する長手方向の側面垂直外面３１０６及び３１０８、並びに長手軸Ｌと垂直な方向に延在する対向する横方向側面の垂直外端表面または端面３１１２ａ及び３１１２ｂを含む。
【００７１】
モノブロック３１０１は、モノブロック３１０１の全長及び長手軸Ｌに沿って長手方向において間隔をあけて位置している（空洞、セル、共振器または極とも呼ばれる）複数の共振部３１１４、３１１６、３１２０及び３１２２を含む。共振器３１１４と共振器３１１６とは、垂直外面３１０６に切り込まれた、より詳細には、モノブロック３１０１の面３１０２、３１０４及び３１０６に切り込まれた垂直切込みまたはスロット３１２４ａによって互いに隙間をあけている。共振器３１１６と共振器３１２０とは、垂直外面３１０６に切り込まれた、より詳細には、面３１０２、３１０４及び３１０６に切り込まれた垂直切込みまたはスロット３１２４ｂによって互いに隙間をあけている。共振器３１２０と共振器３１２２とは、垂直外面３１０６に切り込まれた、より詳細には、モノブロック３１０１の面３１０２、３１０４及び３１０６に切り込まれた垂直切込みまたはスロット３１２４ｃによって互いに隙間をあけている。
【００７２】
切込み３１２４ａは、共振器３１１４と共振器３１１６との間の直接結合及びＲＦ信号の伝送のための、モノブロック３１０１における誘電材料のスルーウェイ、通路または橋３１２８を画定する。同様に、切込み３１２４ｂは、共振器３１１６と共振器３１２０との間の直接結合及びＲＦ信号の伝送のための、モノブロック３１０１における誘電材料のスルーウェイ、通路または橋３１３４を画定し、切込み３１２４ｃは、共振器３１２０と共振器３１２２との間の直接結合及びＲＦ信号の伝送のための、モノブロック３１０１における誘電材料のスルーウェイ、通路または橋３１３５を画定する。
【００７３】
切込み３１２４ａ、３１２４ｂ及び３１２４ｃ並びにそれぞれの橋３１２８、３１３４及び３１３５は、ベースブロック３１０１の長手軸Ｌと垂直な方向に延在する。切込み３１２４ａは、端段部３１３６ａ及び端面３１１２ａに隣接し、かつそれと間隔をあけて位置付けられ、切込み３１２４ｃは、反対側の端段部３１３６ｂ及び端面３１１２ｂに隣接し、かつそれと間隔をあけて位置付けられ、そして切込み３１２４ｂは、切込み３１２４ａと切込み３１２４ｃとの間に、かつそれらと間隔をあけて中央に位置付けられる。
【００７４】
モノブロック３１０１は、さらに、示す実施形態において、長手方向の面３１０２、対向する側面３１０６及び３１０８、並びにモノブロック３１０１のそれぞれの側端面３１１２ａ及び３１１２ｂのそれぞれの概ねＬ字形状の窪んだ、溝の付いた、肩が付いたまたは刻み目のある端部領域または部分からなる第１及び第２の対向する端段部３１３６ａを備え、画定する。
【００７５】
別の言い方をすれば、示す実施形態において、それぞれの端段部３１３６ａ及び３１３６ｂは、モノブロック３１０１の残余部よりも低い、モノブロック３１０１のそれぞれの対向する端部または領域においてかつそれによって画定される。
【００７６】
さらに別の言い方をすれば、示す実施形態において、それぞれの段部３１３６ａ及び３１３６ｂは、各々、それぞれの端部共振器１１１４及び１１２２の概ねＬ字形状の窪んだまたは刻み目のある部分を備える。これらは、モノブロック３１０１の水平外面３１０４の内側に位置するまたは方向付けられ、それらから間隔をあけ、かつそれらと平行なそれぞれの第１の概ね水平な面３１４０ａ及び３１４０ｂ、並びにモノブロック３１０１のそれぞれの側面垂直外端面３１１２ａ及び３１１２ｂの内側に位置するまたは方向付けられ、それらから間隔をあけ、かつそれらと平行なそれぞれの第２の概ね垂直な面または壁３１４２ａ及び３１４２ｂを含む。
【００７７】
さらに、本明細書にはいかなる詳細も示さないまたは記述しないが、モノブロック３１０１の残余部よりも高い、モノブロック３１０１の外側にそれぞれが延在する端部または領域によって端段部３１３６ａ及び３１３６ｂを画定できることが理解される。
【００７８】
モノブロック３１０１は、さらに、モノブロック３１０１の本体を貫通する、より詳細には、そのそれぞれの段部３１３６ａ及び３１３６ｂを貫通する、なおもより詳細には、それぞれの段部３１３６ａ及び３１３６ｂのそれぞれの面３１４０ａ及び３１４０ｂと、モノブロック３１０１の面３１０２との間を、概ね垂直な関係において、さらには、ベースブロック３１０１の長手軸Ｌと概ね垂直な方向に、モノブロック３１０１において画定されたそれぞれの端部共振器３１１４及び３１２２の本体を通る、それぞれの貫通孔３１４６ａ及び３１４６ｂの形態の電気ＲＦ信号入力／出力電極を備えている。
【００７９】
なおもより詳細には、それぞれの入力／出力貫通孔３１４６ａ及び３１４６ｂは、モノブロック３１０１のそれぞれの横方向側端面３１１２ａ及び３１１２ｂから間隔をあけ、かつそれらと平行であり、そしてそれぞれ、それぞれの段面３１４０ａ及び３１４０ｂ並びにモノブロック面３１０２において位置し、そこを終端とするそれぞれの概ね円形の開口を画定する。
【００８０】
それ故に、示す実施形態において、貫通孔３１４６ａは、端面３１１２ａと段面３１４２ａとの間に位置し、貫通孔３１４６ｂは、端面３１１２ｂと段面３１４２ｂとの間に位置する。さらに、示す実施形態において、段部３１３６ａ及び３１３６ｂは、それぞれの切込み３１２４ａ及び３１２４ｂから短く間隔をあけた点を終端とする。
【００８１】
それぞれのＲＦ信号入力／出力貫通孔３１４６ａ及び３１４６ｂは、また、それぞれの段壁または面３１４２ａ及び３１４２ｂから大まかに間隔をあけ、かつそれらと平行な関係において、モノブロック３１０１の内側に位置付け及び配置され、それを貫通もする。
【００８２】
モノブロック３１０１の外面３１０２、３１０４、３１０６、３１０８、３１１２ａ及び３１１２ｂのすべて、それぞれの切込みまたはスロット３１２４ａ、３１２４ｂ及び３１２４ｃを画定するモノブロック３１０１の内面、並びにそれぞれのＲＦ信号入力／出力貫通孔３１４６ａ及び３１４６ｂを画定するモノブロック３１０１の内面は、より詳細を後述する領域を除いて、例えば銀などの適切な導電性材料で覆われている。
【００８３】
モノブロック３１０１は、さらに、それぞれの貫通孔３１４６ａ及び３１４６ｂによって面３１０２において画定されたそれぞれの開口３１４７ａ及び３１４７ｂから外側に突出するそれぞれのＲＦ信号入力／出力コネクタ３４００ａ及び３４００ｂを備えている。
【００８４】
ブリッジブロック３１０５は、示す実施形態において、概ね矩形形状であり、ベースブロック３１０１と幅及び高さは同じであるが、その全長は、ベースブロック３１０１の全長の４分の１未満である。そしてこれは、例えばセラミックなどの誘電材料の適切な固体ブロックからなり、長手軸Ｌの方向に延在する対向する長手方向の水平外面３１０２ｃ及び３１０４ｃ、長手軸Ｌの方向に延在する対向する長手方向の側面垂直外面３１０６ｃ及び３１０８ｃ、並びに長手軸Ｌと垂直な方向に延在する対向する横方向側面の垂直外端面３１１０ｃ及び３１１２ｃを含む。
【００８５】
ブリッジブロック３１０５は、（空洞、セル、共振器または極とも呼ばれる）共振部３１１８を画定する。
【００８６】
ブリッジブロック３１０５は、ベースブロック３１０１の中央に位置付けられ、かつ中央切込み３１２４ｂの上に重なる関係において、より詳細には、ブリッジブロック３０１５の最初の半分及びそれによって画定された共振器３１１８が、ベースブロック３１０１の共振器３１２０の一部に重なり合ってそこに位置する関係において位置付けられ、かつブリッジブロック３１０５のもう一つの半分及びそれによって画定された共振器３１１８が、ベースブロック３１０１の共振器３１１６の一部に重なり合ってそこに位置する関係において位置付けられた関係において、ベースブロック３１０１の上部に結合して積層される。それ故に、示す実施形態において、ブリッジブロック３１０５の外面３１０２ｃは、ベースブロック３１０１の上面３１０４に結合してそれに接触して位置する。
【００８７】
さらに、示す実施形態において、ブリッジブロック３１０５は、ベースブロック３１０５の垂直外面３１０６ｃが、ベースブロック３１０１の垂直外面３１０６と垂直方向に同一平面上にあり、かつブリッジブロック３１０５の反対側の垂直外面３１０８ｃが、ベースブロック３１０１の垂直外面３１０８と垂直方向に同一平面上にある関係において、ベースブロック３１０１に結合する。
【００８８】
さらに、示す実施形態において、ブリッジブロック３１０５は、ブリッジブロック３１０５が切込み３１２４ａと切込み３１２４ｃとの間に、かつそれらと間隔をあけて位置し、かつ中央切込み３１２４ｂ及び中央ＲＦ信号伝送ブリッジ３１３４の上方に位置する関係及び位置において、ベースブロック３１０１の上面３１０４の中央に位置付けられ、それと接触して位置する。
【００８９】
示す実施形態において、導波管フィルタ３１００は導電性材料の内部層３５６０を含む。これは、ベースブロック３１０１とブリッジブロック３１０５との間に位置する、より詳細には、ベースブロック３１０１を構成する誘電材料を、ブリッジブロック３１０５を構成する誘電材料から分離する、なおもより詳細には、ブリッジブロック３１０５の共振器１１１８を、ベースブロック３１０１の共振器３１１６及び３１２０から分離する。
【００９０】
導波管フィルタ３１００の共振器３１１４、３１１６、３１１８、３１２０及び３１２２の間に、直接容量性結合、誘導直接結合及び誘導交差結合を提供するための要素をここでより詳細に記述する。
【００９１】
初めに、導波管フィルタ３１００は、ベースブロック３１０１の共振器３１１６とブリッジブロック３１０５の共振器３１１８との間を結合するまたは伝送される直接容量性ＲＦ信号を提供するための第１の手段と、ブリッジブロック３１０５の共振器３１１８とベースブロック３１０１の共振器３１２０との間を結合するまたは伝送される直接誘導ＲＦ信号を提供するための第２の手段と、を備えている。これらの手段は、導波管フィルタ３１００の内部におけるそれぞれの内部ウィンドウ３５６０ａ及び３５６０ｂ並びに内部ウィンドウ３５６０ｃ、より詳細には、導電性材料のない、すなわち、ベースブロック３１０１の誘電材料がブリッジブロック３１０５の誘電材料と接触している誘電材料の領域である、導電性材料の層３５６０におけるそれぞれの領域３５６０ａ、３５６０ｂ及び３５６０ｃを備えている。
【００９２】
さらにまた、導電性材料のない、導波管フィルタ３１００の組み立て中にブリッジブロック３１０５がベースブロック３１０１に結合したときにそれぞれが互いに位置合わせされたそれぞれのブロック３１０１及び３１０５のそれぞれの外面３１０４及び３１０２ｃを覆う導電性材料の外層におけるそれぞれの領域によってそれぞれの内部ウィンドウ３５６０ａ、３５６０ｂ及び３５６０ｃが画定されることが理解される。
【００９３】
示す実施形態において、容量性直接結合ＲＦ信号伝送経路を提供及び画定する内部ウィンドウ３５６０ａ及び３５６０ｂは、概ね矩形形状であり、ベースブロック３１０１の共振器３１１６の上に重なる導電性材料の内部層３５６０の領域において画定及び位置付けされ、共に、ベースブロック３１０１の中央切込み３１２４ｂに対して同じ側に、かつそれと間隔をあけかつ概ね垂直な関係において位置し、ベースブロック３１０１の長手軸Ｌの両側に、かつそれから間隔をあけ、かつそれと平行に位置付けされる。それ故に、示す実施形態において、内部ウィンドウ３５６０ａは、外部かつ長手方向の面３１０６とベースブロック３１０１の長手軸Ｌとの間に、かつそれらから間隔をあけかつそれらと平行な関係において位置付けされ、そして内部ウィンドウ３５６０ｂは、反対側の長手方向の面３１０８とベースブロック３１０１の長手軸Ｌとの間に、かつそれらから間隔をあけかつそれらと平行な関係において位置付けされる。
【００９４】
示す実施形態において、誘導直接結合ＲＦ信号伝送経路を提供及び画定する内部ウィンドウ３５６０ｃは、概ね矩形形状であり、ベースブロック３１０１の共振器３１２０の上に重なる導電性材料の内部層３５６０の領域において画定及び位置付けされ、ベースブロック３１０１の中央切込み３１２４ｂに対して反対側に、かつそれと間隔をあけかつ概ね平行な関係において位置付けされ、ベースブロック３１０１の長手軸Ｌと垂直かつそれを横切る関係において位置付けされ、内部ウィンドウ３５６０ａ及び３５６０ｂの方向と概ね垂直な方向に位置付けされる。
【００９５】
本発明によれば、ＲＦ信号は、ここでより詳細に記述するように、導波管フィルタ３１００を通り伝送される。
【００９６】
初めに、コネクタ３４００ａがＲＦ信号入力コネクタである場合には、ＲＦ信号は、最初に段部３１３６ａに、そしてベースブロック３１０１の共振器３１１４を通じて直接に伝送され、次に、共振器３１１４と共振器３１１６との間においてベースブロック３１０１に画定された直接結合経路ｄ１を経由して、かつ誘電材料の直接結合ＲＦ信号ブリッジ３１２８を通じて、ベースブロック３１０１における共振器１１１６に直接に伝送され、次に、ベースブロック３１０１の共振器３１１６から、それぞれの内部ＲＦ信号伝送ウィンドウ３５６０ａ及び３５６０ｂによって画定された直接容量性結合経路ｄ２の組を経由して及び通じて、ブリッジブロック３１０５における共振器３１１８に伝送され、そしてまた、ベースブロックの共振器３３１６から、共振器３１１６と共振器３１２０との間においてベースブロック３１０１に画定された誘電材料のＲＦ信号ブリッジ３１３４によって画定された誘導交差結合経路ｃを経由して、ベースブロック３１０１の共振器３１２０にも伝送され、次に、そしてまた、ブリッジブロック３１０５の共振器３１１８から、内部ＲＦ信号伝送ウィンドウ３５６０ｃによって画定された誘導直接結合経路ｄ３を経由して及び通じて、ベースブロック３１０１の共振器３１１６に伝送され、次に、共振器３１２０と共振器３１２２との間においてベースブロック３１０１に画定された直接結合経路ｄ４を経由して及び誘電材料の直接結合ＲＦ信号ブリッジ３１３５を通じて、共振器３１１４に伝送され、次に、ベースブロック３１０１における段部１１３６ｂに伝送され、その後、出力コネクタ１４００ｂを通って出る。
【００９７】
それ故に、示す実施形態において、ベースブロック３１０１と相対的な、ブリッジブロック３１０５の位置ずれした、盛り上げられた及び橋絡した関係の故に、ブリッジブロック３１０５及びその共振器３１１８は、ベースブロック３１０１並びにその共振器３１１４、３１１６、３１２０及び３１２２が位置する水平面と位置ずれしかつ平行な関係及び水平面に位置付けされ、さらに、ＲＦ信号伝送並びに結合経路ｄ２及びｄ３が、結合経路ｄ１、ｃ及びｄ４と概ね垂直な方向に方向付けられ、延在する。
【００９８】
導波管フィルタ３１００の性能を図９に示す。この図は、前述のように、ベースブロック３１０１、ブリッジブロック３１０５並びに内部ＲＦ信号伝送ウィンドウ３５６０ａ、３５６０ｂ及び３５６０ｃを通じたＲＦ信号の伝送の結果として通過帯域の下側に作り出されたノッチ及びＲＦ信号伝送のシャントゼロを示す。
【００９９】
図７及び図８は、本発明による導波管フィルタ４１００の別の実施形態を描写する。
その要素の大部分の構造及び機能は、後述するものを除いて、導波管フィルタ４１００の要素のそれらと同一である。その結果、構造及び機能が同一である導波管フィルタ３１００及び４１００の要素は、図５、図６、図７及び図８において同じ数字で特定されており、それ故に、図５及び図６に示す導波管フィルタ３１００に関するそのような要素の構造及び機能の前の記述が、より詳細を後述するものを除いて、図７及び図８に示す導波管フィルタ４１００に関して参照により本明細書に組み込まれる。
【０１００】
具体的には、導波管フィルタ４１００の構造は、以下の点のみで導波管フィルタ３１００のそれと異なる。すなわち、ベースブロック３１０１の共振器３１１６及び３１２０とブリッジブロック３１０５の共振器３１１８との間の直接結合が、導波管フィルタ３１００のように３つの内部ウィンドウ３５６０ａ、３５６０ｂ及び３５６０ｃではなく、より詳細は後述するように、導波管フィルタ４１００の内部に配置及び位置付けされた、内部の概ね平行なウィンドウ４５６０ａ及び４５６０ｂの組によって画定された直接誘導結合経路ｄ２及びｄ３を通じて提供される。
【０１０１】
なおもより詳細には、導波管フィルタ４１００は、ベースブロック３１０１の共振器３１１６とブリッジブロック３１０５の共振器３１１８との間を結合するまたは伝送される直接ＲＦ信号を提供するための第１の手段と、ブリッジブロック３１０５の共振器３１１８とベースブロック３１０１の共振器３１２０との間を結合するまたは伝送される直接ＲＦ信号を提供するための第２の手段と、を備えている。これらの手段は、導波管フィルタ４１００の内部におけるそれぞれの内部ウィンドウ４５６０ａ及び４５６０ｂ、より詳細には、導電性材料のない、すなわち、ベースブロック３１０１の誘電材料がブリッジブロック３１０５の誘電材料と接触している誘電材料の領域である、ベースブロック３１０１とブリッジブロック３１０５との間に位置する、導電性材料の内部層におけるそれぞれの領域４５６０ａ及び４５６０ｂの形態である。
【０１０２】
さらにまた、導電性材料のない、導波管フィルタ４１００の組み立て中にブリッジブロック３１０５がベースブロック３１０１に結合したときにそれぞれが互いに位置合わせされたそれぞれのブロック３１０１及び３１０５のそれぞれの外面３１０４及び３１０２ｃを覆う導電性材料の外層におけるそれぞれの領域によってそれぞれの内部ウィンドウ４５６０ａ及び４５６０ｂが画定されることが理解される。
【０１０３】
示す実施形態において、内部ウィンドウ４５６０ａは、概ね矩形形状であり、ベースブロック３１０１の共振器３１１６の上に重なる導電性材料の内部層３５６０の領域において画定及び位置付けされ、ベースブロック３１０１の中央切込み３１２４ｂに対して一方の側に、かつそれと間隔をあけかつ概ね平行な関係において位置付けされ、ベースブロック３１０１の長手軸Ｌと概ね垂直かつそれを横切る関係において位置付けされる。
【０１０４】
示す実施形態において、内部ウィンドウ４５６０ｂは、概ね矩形形状であり、ベースブロック３１０１の共振器３１２０の上に重なる導電性材料の内部層３５６０の領域において画定及び位置付けされ、ベースブロック３１０１の中央切込み３１２４ｂに対して反対側に、かつそれと間隔をあけかつ概ね平行な関係において位置付けされ、ベースブロック３１０１の長手軸Ｌと概ね垂直かつそれを横切る関係において位置付けされ、そして内部ウィンドウ４５６０ａと間隔をあけかつ平行な関係において位置付けされる。
【０１０５】
本発明によれば、ＲＦ信号は、ここでより詳細に記述するように、導波管フィルタ４１００を通り伝送される。
【０１０６】
初めに、コネクタ３４００ａがＲＦ信号入力コネクタである場合には、ＲＦ信号は、最初に段部３１３６ａに、そしてベースブロック３１０１の共振器３１１４を通じて直接に伝送され、次に、共振器３１１４と共振器３１１６との間においてベースブロック３１０１に画定された直接結合経路ｄ１を経由して、かつ誘電材料の直接結合ＲＦ信号ブリッジ３１２８を通じて、ベースブロック３１０１における共振器１１１６に直接に伝送され、次に、ベースブロック３１０１の共振器３１１６から、内部ＲＦ信号伝送ウィンドウ４５６０によって画定された直接誘導結合経路ｄ２の組を経由して及び通じて、ブリッジブロック３１０５における共振器３１１８に伝送され、そしてまた、共振器３１１６と共振器３１２０との間においてベースブロック３１０１に画定された誘電材料のＲＦ信号ブリッジ３１３４によって画定された誘導交差結合経路ｃを経由して、共振器３１２０にも伝送され、次に、そしてまた、ブリッジブロック３１０５の共振器１１１８から、内部ＲＦ信号伝送ウィンドウ４５６０ｂによって画定された直接誘導結合経路ｄ３を経由して及び通じて、ベースブロック３１０１の共振器３１１６に伝送され、次に、共振器３１２０と共振器３１２２との間においてベースブロック３１０１に画定された直接結合経路ｄ４を経由して及び誘電材料の直接結合ＲＦ信号ブリッジ３１３５を通じて、共振器３１１４に伝送され、次に、ベースブロック３１０１における段部１１３６ｂに伝送され、その後、出力コネクタ１４００ｂを通って出る。
【０１０７】
導波管フィルタ４１００の性能を図１０に示す。この図は、前述のように、ベースブロック３１０１、ブリッジブロック３１０５並びに内部ＲＦ信号伝送ウィンドウ４５６０ａ及び４５６０ｂを通じたＲＦ信号の伝送の結果として通過帯域の上側に作り出されたノッチ及びＲＦ信号伝送のシャントゼロを示す。
【０１０８】
本発明を、示す実施形態に具体的に言及して教示したが、本発明の趣旨及び範囲から逸脱することなく、形態及び詳細に変更を為せることを当業者が認識することが理解される。記述した実施形態は、あらゆる点において、単なる例示としてみなされ、限定的なものとしてみなされるべきではない。
【０１０９】
例えば、本発明が他の導波管フィルタの実施形態を包含することが理解される。例えば、ベースブロックが段部を全く含まない、ベースブロックが追加の切込みを含む、ブリッジブロックが切込みを含む、ベースブロック及び／またはブリッジブロックの構成、形状、サイズ、全長、幅または高さが異なる、導波管フィルタが追加のベース及び／またはブリッジブロックを含む、内部ＲＦ信号伝送ウィンドウのサイズ、構成、位置、向き及び数が、特定用途または所望の性能に応じて変わる実施形態を包含する。
【図１】
2019097205.tif 000003
【図２】
2019097205.tif 000004
【図３】
2019097205.tif 000005
【図４】
2019097205.tif 000006
【図５】
2019097205.tif 000007
【図６】
2019097205.tif 000008
【図７】
2019097205.tif 000009
【図８】
2019097205.tif 000010
【図９】
2019097205.tif 000011
【図１０】
2019097205.tif 000012
【手続補正書】
【提出日】平成31年3月5日(2019.3.5)
【手続補正１】
【補正対象書類名】特許請求の範囲
【補正対象項目名】全文
【補正方法】変更
【補正の内容】
【特許請求の範囲】
【請求項１】
導電性材料の層で覆われており、少なくとも第１及び第２の共振器を画定する誘電材料のベースブロックと、
導電性材料の層で覆われており、第３の共振器を画定する誘電材料のブリッジブロックであって、前記ベースブロックと前記ブリッジブロックとが、前記ブリッジブロックが前記第１及び第２の共振器を橋絡する関係において互いに結合された前記ブリッジブロックと、
前記ベースブロックと前記ブリッジブロックとの間に画定されており、前記第１の共振器と前記第３の共振器との間でＲＦ信号を伝送するための第１の経路を画定する第１のＲＦ信号伝送ウィンドウと、
前記ベースブロックと前記ブリッジブロックとの間に画定されており、前記第３の共振器と前記第２の共振器との間でＲＦ信号を伝送するための第２の経路を画定する第２のＲＦ信号伝送ウィンドウと、
前記第１及び第２の共振器の間で前記ＲＦ信号を伝送するための第１の交差結合経路を画定する第１の交差結合ＲＦ信号伝送手段と、を備えている、ＲＦ信号の伝送に適した導波管フィルタ。
【請求項２】
前記ベースブロックが、前記第１の共振器を画定する第１のブロックと、前記第２の共振器を画定する第２のブロックを画定し、
前記導波管フィルタは、さらに、前記第１のブロックと前記第２のブロックの間に画定された、前記第１の交差結合経路を画定する第３のＲＦ信号伝送ウィンドウを備える、請求項１に記載の導波路フィルタ。
【請求項３】
前記第１及び第２のＲＦ信号伝送ウィンドウは、前記第３のＲＦ信号伝送ウィンドウに垂直の関係で延在する、請求項２に記載の導波路フィルタ。
【請求項４】
前記ベースブロックが長手軸を画定し、前記第１及び第２のＲＦ信号伝送ウィンドウは、前記長手軸に垂直な横軸の反対側に位置し、前記長手軸と同じ方向に延在する、請求項２に記載の導波路フィルタ。
【請求項５】
前記第１の共振器と前記第２の共振器の間に画定され、前記第１の交差結合経路を画定する第１のＲＦ信号伝送切り込みをさらに備える、請求項１に記載の導波路フィルタ。
【請求項６】
前記ベースブロックが長手軸を画定し、前記第１及び第２のＲＦ信号伝送ウィンドウは、前記長手軸に垂直な横軸の反対側に位置し、前記長手軸と垂直方向に延在する、請求項５に記載の導波路フィルタ。
【請求項７】
導電性材料の層で覆われており、少なくとも第１及び第２の共振器を画定する誘電材料のベースブロックと、
導電性材料の層で覆われており、少なくとも第３の共振器を画定する誘電材料のブリッジブロックであって、前記ブリッジブロックが、前記ベースブロックの前記第１及び第２の共振器を橋絡する関係において、前記ベースブロックの上部に積層された、前記ブリッジブロックと、
前記ベースブロックと前記ブリッジブロックとの間に画定されており、前記第１の共振器と前記第３の共振器との間でＲＦ信号を伝送するための第１の直接経路を画定する第１の内部直接結合ＲＦ信号伝送ウィンドウと、
前記ベースブロックと前記ブリッジブロックとの間に画定されており、前記第２の共振器と前記第３の共振器との間でＲＦ信号を伝送するための第２の直接経路を画定する第２の内部直接結合ＲＦ信号伝送ウィンドウと、
前記第１の共振器と前記第２の共振器との間で前記ＲＦ信号を伝送するための第１の交差結合経路を画定する第１の交差結合ＲＦ信号伝送手段と、を備える、ＲＦ信号の伝送に適した導波管フィルタ。
【請求項８】
前記ベースブロックが、前記第１の共振器を画定する第１のブロックと、前記第２の共振器を画定する第２のブロックを画定し、
前記導波管フィルタは、さらに、前記第１のブロックと前記第２のブロックの間に画定された、前記第１の共振器と前記第２の共振器の間の前記第１の交差結合経路を画定する第３のＲＦ信号伝送ウィンドウを備える、請求項７に記載の導波路フィルタ。
【請求項９】
前記ベースブロックが長手軸を画定し、前記第１及び第２の内部直接結合ＲＦ信号伝送ウィンドウは、前記長手軸に垂直な横軸の反対側に位置し、前記長手軸と同じ方向に延在する、請求項８に記載の導波路フィルタ。
【請求項１０】
前記第１の交差結合ＲＦ信号伝送手段は、前記第１の共振器と前記第２の共振器の間の前記ベースブロックに画定され、前記第１の共振器と前記第２の共振器の間の前記第１の交差結合経路を画定するＲＦ信号伝送切り込みをさらに備える、請求項７に記載の導波路フィルタ。
【請求項１１】
前記ベースブロックが長手軸を規定し、前記第１及び第２の内部直接結合ＲＦ信号伝送ウィンドウは、前記長手軸に垂直な横軸の反対側に位置し、前記長手軸と垂直方向に延在する、請求項１０に記載の導波路フィルタ。
【手続補正２】
【補正対象書類名】明細書
【補正対象項目名】０１０９
【補正方法】変更
【補正の内容】
【０１０９】
例えば、本発明が他の導波管フィルタの実施形態を包含することが理解される。例えば、ベースブロックが段部を全く含まない、ベースブロックが追加の切込みを含む、ブリッジブロックが切込みを含む、ベースブロック及び／またはブリッジブロックの構成、形状、サイズ、全長、幅または高さが異なる、導波管フィルタが追加のベース及び／またはブリッジブロックを含む、内部ＲＦ信号伝送ウィンドウのサイズ、構成、位置、向き及び数が、特定用途または所望の性能に応じて変わる実施形態を包含する。
下記は、本願の出願当初に記載の発明である。
＜請求項１＞
導電性材料の層で覆われており、少なくとも第１及び第２の共振器を画定する誘電材料のベースブロックと、
導電性材料の層で覆われており、第３の共振器を画定する誘電材料のブリッジブロックと、ここで、前記ベースブロックと前記ブリッジブロックとが、前記ブリッジブロックが前記第１及び第２の共振器を橋絡する関係において互いに結合されており、
前記ベースブロックと前記ブリッジブロックとの間に画定されており、前記第１の共振器と前記第３の共振器との間でＲＦ信号を伝送するための第１の経路を画定する第１のＲＦ信号伝送ウィンドウと、
前記ベースブロックと前記ブリッジブロックとの間に画定されており、前記第３の共振器と前記第２の共振器との間でＲＦ信号を伝送するための第２の経路を画定する第２のＲＦ信号伝送ウィンドウと、を備えている、ＲＦ信号の伝送に適した導波管フィルタ。
＜請求項２＞
前記ベースブロックが長手軸を画定し、前記第１及び第２のＲＦ信号伝送ウィンドウが、互いとかつ前記長手軸と間隔をあけかつ平行な関係において、前記長手軸の両側に位置付けられる、請求項１に記載の導波管フィルタ。
＜請求項３＞
前記ベースブロックが長手軸を画定し、前記第１及び第２のＲＦ信号伝送ウィンドウが、互いと間隔をあけかつ平行、かつ前記長手軸と垂直な関係において位置付けられる、請求項１に記載の導波管フィルタ。
＜請求項４＞
前記ベースブロックが長手軸を画定し、前記ベースブロックと前記ブリッジブロックとの間に画定されており、前記第１の共振器と前記第３の共振器との間で前記ＲＦ信号を伝送するための第３の経路を画定する第３のＲＦ信号伝送ウィンドウをさらに備えており、前記第１及び第３のＲＦ信号伝送ウィンドウが、互いとかつ前記長手軸と平行な関係において、かつ前記第２のＲＦ信号伝送ウィンドウと垂直な関係において、前記長手軸の両側に位置付けられる、請求項１に記載の導波管フィルタ。
＜請求項５＞
前記ベースブロックが、その各々が、導電性材料の層で覆われており、端から端の同一線上の関係において結合された第１及び第２のベースブロックからなり、前記ブリッジブロックが、前記第１及び第２のベースブロックの前記結合した端部を橋絡し、前記第１及び第２の共振器が、それぞれ、前記第１及び第２のベースブロックにおいて画定される、請求項１に記載の導波管フィルタ。
＜請求項６＞
導電性材料の層で覆われており、少なくとも第１の共振器を画定する誘電材料の第１のブロックと、
導電性材料の層で覆われており、少なくとも第２の共振器を画定する誘電材料の第２のブロックと、
導電性材料の層で覆われており、少なくとも第３の共振器を画定する誘電材料の第３のブロックと、ここで、前記誘電材料の第３のブロックが、前記誘電材料の第１及び第２のブロックに結合してそれらを橋絡し、
前記第１のブロックと前記第３のブロックとの間に画定されており、前記第１の共振器と前記第３の共振器との間でＲＦ信号を伝送するための第１の経路を画定する第１のＲＦ信号伝送ウィンドウと、
前記第２のブロックと前記第３のブロックとの間に画定されており、前記第３の共振器と前記第２の共振器との間でＲＦ信号を伝送するための第２の経路を画定する第２のＲＦ信号伝送ウィンドウと、を備えている、ＲＦ信号の伝送に適した導波管フィルタ。
＜請求項７＞
前記第１のブロックと前記第２のブロックとが、端から端の同一線上の関係において結合されており、前記第３のブロックが、前記第１及び第２のベースブロックの前記結合した端部を橋絡する、請求項６に記載の導波管フィルタ。
＜請求項８＞
前記第１及び第２のブロックの各々の一端におけるＲＦ信号入力／出力電極と、
前記第１及び第２のブロックの各々の前記一端に画定された段部と、ここで、前記ＲＦ信号入力／出力電極が前記段部を貫いて延在し、
前記第１及び第２のブロックの各々に画定された切込みと、を備えており、ここで、前記第１のブロックにおける前記切込みが、前記第１のブロックにおける前記第１の共振器と第４の共振器とを画定し、前記第２のブロックにおける前記切込みが、前記第２のブロックにおける前記第２の共振器と第５の共振器とを画定し、前記ＲＦ信号入力／出力電極及び前記段部が、それぞれ、前記第４及び第５の共振器において画定され、前記第３のブロックが、前記第１及び第２のブロックにおいて画定された前記切込みの間に、かつそれらから間隔をあけて位置する、請求項６に記載の導波管フィルタ。
＜請求項９＞
導電性材料の層で覆われており、少なくとも第１及び第２の共振器を画定する誘電材料のベースブロックと、
導電性材料の層で覆われており、少なくとも第３の共振器を画定する誘電材料のブリッジブロックと、ここで、前記ブリッジブロックが、前記ベースブロックの前記第１及び第２の共振器を橋絡する関係において、前記ベースブロックの上部に積層されており、
前記ベースブロックと前記ブリッジブロックとの間に画定されており、前記第１の共振器と前記第３の共振器との間でＲＦ信号を伝送するための第１の直接経路を画定する第１の内部直接結合ＲＦ信号伝送ウィンドウと、
前記ベースブロックと前記ブリッジブロックとの間に画定されており、前記第２の共振器と前記第３の共振器との間でＲＦ信号を伝送するための第２の直接経路を画定する第２の内部直接ＲＦ信号伝送ウィンドウと、
前記第１の共振器と前記第２の共振器との間でＲＦ信号を伝送するための第１の交差結合経路を画定する第１の交差結合ＲＦ信号伝送手段と、を備えている、ＲＦ信号の伝送に適した導波管フィルタ。
＜請求項１０＞
前記ベースブロックが、その各々が、導電性材料の層で覆われており、端から端かつ同一線上の関係において結合された第１及び第２のベースブロックからなり、前記第１及び第２の共振器が、それぞれ、前記第１及び第２のベースブロックにおいて画定されており、前記第１の交差結合ＲＦ信号伝送手段が、前記第１の共振器と前記第２の共振器との間を延在する容量性交差結合外部伝送線を備えており、前記第１及び第２の内部直接結合伝送ウィンドウが、第１及び第２の容量性直接結合ＲＦ信号伝送経路を画定する、請求項９に記載の導波管フィルタ。
＜請求項１１＞
前記ベースブロックが、その各々が、導電性材料の層で覆われており、端から端かつ同一線上の関係において結合された第１及び第２のベースブロックからなり、前記第１及び第２の共振器が、それぞれ、前記第１及び第２のベースブロックにおいて画定されており、前記第１の交差結合ＲＦ信号伝送手段が、前記第１のベースブロックと前記第２のベースブロックとの間に画定されており、前記第１の共振器と前記第２の共振器との間の第１の誘導交差結合ＲＦ信号伝送経路を画定する第３のＲＦ信号伝送ウィンドウを備えており、前記第１及び第２の内部直接結合伝送ウィンドウが、第１及び第２の容量性直接結合ＲＦ信号伝送経路を画定する、請求項９に記載の導波管フィルタ。
＜請求項１２＞
前記第１の交差結合ＲＦ信号伝送手段が、前記第１の共振器と前記第２の共振器との間において前記ベースブロックに画定されており、前記第１の共振器と前記第２の共振器との間の第１の誘導交差結合ＲＦ信号伝送経路を画定するＲＦ信号伝送ブリッジを備えており、前記第１及び第２の内部直接結合伝送ウィンドウが、第１及び第２の誘導直接結合ＲＦ信号伝送経路を画定する、請求項９に記載の導波管フィルタ。
＜請求項１３＞
前記ベースブロックと前記ブリッジブロックとの間に画定されており、前記第１の共振器と前記第３の共振器との間でＲＦ信号を伝送するための第３の直接経路を画定する第３の内部直接結合伝送ウィンドウをさらに備えており、前記第１及び第３の内部直接結合伝送ウィンドウが、前記第１の共振器と前記第２の共振器との間の第１及び第３の容量性直接結合ＲＦ信号伝送経路を画定する、請求項９に記載の導波管フィルタ。